(57)【要約】  リフター機構（１６）は、アーム（２４）を下方から支持し、第１の下限位置と第１の上限位置との間を昇降する第１のリフター（４４）と、第１のリフター（４４）を下方から支持し、第２の下限位置と第２の上限位置との間を昇降する第２のリフター（４８）と、第２のリフター（４８）を第２の下限位置から第２の上限位置に向けて付勢する第１の付勢部材（５０）と、第２のリフター（４８）を第２の下限位置にロックするロック位置及び第２のリフター（４８）の第２の下限位置へのロックを解除する解除位置の間を変位するロックレバー（５４）と、ロックレバー（５４）をロック位置から解除位置に向けて付勢する第２の付勢部材（５６）と、ロックレバー（５４）をロック位置に保持する保持部材（５８）と、第２のリフター（４８）を第２の上限位置から第２の下限位置に押し下げるためのキューイングレバー（５２）とを有する。
2020137030.tif 000002
【特許請求の範囲】
【請求項１】
レコード盤を再生するための再生装置に用いられるトーンアーム装置であって、
カートリッジが取り付けられる先端部を有し、前記先端部が前記レコード盤に近付く下降方向、及び、前記先端部が前記レコード盤から離れる上昇方向に回動可能に支持されたアームと、
前記アームを前記下降方向及び前記上昇方向に回動させるリフター機構と、を備え、
前記リフター機構は、
前記アームを下方から支持し、第１の下限位置と前記第１の下限位置よりも上方の第１の上限位置との間を昇降する第１のリフターと、
前記第１のリフターを下方から支持し、第２の下限位置と前記第２の下限位置よりも上方の第２の上限位置との間を昇降する第２のリフターと、
前記第２のリフターを前記第２の下限位置から前記第２の上限位置に向けて付勢する第１の付勢部材と、
前記第２のリフターを前記第２の下限位置にロックするロック位置と、前記第２のリフターの前記第２の下限位置へのロックを解除する解除位置との間を変位するロックレバーと、
前記ロックレバーを前記ロック位置から前記解除位置に向けて付勢する第２の付勢部材と、
前記ロックレバーを前記ロック位置に保持する保持部材と、
前記第２のリフターを前記第２の上限位置から前記第２の下限位置に押し下げるためのキューイングレバーと、を有し、
前記保持部材が前記ロックレバーの前記ロック位置への保持を解除した際には、前記ロックレバーが前記第２の付勢部材の付勢力により前記ロック位置から前記解除位置に変位することにより、前記第２のリフターが前記第１の付勢部材の付勢力により前記第２の下限位置から前記第２の上限位置に上昇し、且つ、前記第１のリフターが前記第２のリフターの上昇動作に連動して前記第１の下限位置から前記第１の上限位置に上昇し、前記アームが前記第１のリフターの上昇動作に連動して前記上昇方向に回動し、
前記キューイングレバーが前記第２のリフターを前記第２の上限位置から前記第２の下限位置に押し下げた際には、前記第２のリフターが前記ロックレバーに当接することにより、前記ロックレバーが前記解除位置から前記ロック位置に変位し、前記第１のリフターが前記第１の上限位置から前記第１の下限位置に下降し、前記アームが前記第１のリフターの下降動作に連動して前記下降方向に回動する
トーンアーム装置。
【請求項２】
前記アームは、さらに、前記レコード盤の盤面に沿って略水平方向に回動可能に支持されており、
前記リフター機構は、さらに、
前記アームの前記先端部が前記レコード盤の前記盤面上における所定の位置に位置することを検出する検出部と、
前記保持部材の動作を制御する制御部であって、前記検出部からの検出信号に基づいて、前記保持部材による前記ロックレバーの前記ロック位置への保持を解除させる制御部と、を有する
請求項１に記載のトーンアーム装置。
【請求項３】
前記保持部材はラッチングソレノイドで構成され、
前記制御部は、前記ラッチングソレノイドに通電することにより、前記ラッチングソレノイドによる前記ロックレバーの前記ロック位置への保持を解除させる
請求項２に記載のトーンアーム装置。
【請求項４】
前記ロックレバーは、
前記ロックレバーを前記ロック位置と前記解除位置との間で回動可能に支持する第１の回動軸部と、
前記第１の回動軸部から延び、前記第２のリフターと係合可能に配置された係合片と、
前記第１の回動軸部から延び、前記第２のリフターと当接可能に配置されたカム片と、を有し、
前記保持部材が前記ロックレバーを前記ロック位置に保持している際には、前記係合片は、前記第２の下限位置に位置する前記第２のリフターと係合し、
前記保持部材が前記ロックレバーの前記ロック位置への保持を解除した際には、前記ロックレバーが前記ロック位置から前記解除位置に回動することにより、前記係合片が前記第２のリフターから離れ、
前記キューイングレバーが前記第２のリフターを前記第２の上限位置から前記第２の下限位置に押し下げた際には、前記第２のリフターが前記ロックレバーの前記カム片に当接することにより、前記ロックレバーが前記解除位置から前記ロック位置に回動して、前記係合片が前記第２のリフターと係合する
請求項１〜３のいずれか１項に記載のトーンアーム装置。
【請求項５】
前記リフター機構は、さらに、前記第１のリフターが前記第１の上限位置から前記第１の下限位置に下降する際に、前記第１のリフターの下降動作に制動力を作用させるためのダンパー機構を有し、
前記キューイングレバーが前記第２のリフターを前記第２の上限位置から前記第２の下限位置に押し下げた際には、前記第１のリフターは、前記ダンパー機構により前記第２のリフターの下降速度よりも遅い下降速度で、前記第１の上限位置から前記第１の下限位置に下降する
請求項１〜４のいずれか１項に記載のトーンアーム装置。
【請求項６】
前記キューイングレバーは、
前記キューイングレバーを第１の操作方向及び前記第１の操作方向とは反対方向である第２の操作方向に回動可能に支持する第２の回動軸部と、
前記第２の回動軸部に設けられ、前記第１のリフターと係合する第１のカム部と、
前記第２の回動軸部に設けられ、前記第２のリフターと係合する第２のカム部と、を有し、
前記保持部材が前記ロックレバーの前記ロック位置への保持を解除している状態で、前記キューイングレバーが前記第１の操作方向に回動した際には、前記第２のカム部が前記第２のリフターを前記第２の上限位置から前記第２の下限位置に押し下げ、
前記保持部材が前記ロックレバーを前記ロック位置に保持している状態で、前記キューイングレバーが前記第２の操作方向に回動した際には、前記第１のカム部が前記第１のリフターを前記第１の下限位置から前記第１の上限位置に押し上げる
請求項４又は５に記載のトーンアーム装置。
【請求項７】
前記トーンアーム装置は、さらに、前記アームを前記レコード盤に対して昇降させるための昇降機構を備え、
前記昇降機構は、
前記アームを前記下降方向及び前記上昇方向に回動可能に支持するアームベースと、
前記アームベースを昇降可能に支持するアームベースマウントと、
前記アームベースを前記アームベースマウントに対して上昇させる方向に付勢する第３の付勢部材と、
前記アームベースに接触する接触位置と、前記アームベースから離れる非接触位置との間を移動可能な接触部材と、
前記接触部材を前記接触位置と前記非接触位置との間で移動させるための操作部材と、を有する
請求項１〜６のいずれか１項に記載のトーンアーム装置。
【請求項８】
レコード盤を再生するための再生装置であって、
前記レコード盤を載置するためのターンテーブルと、
前記ターンテーブルを回動させる駆動源と、
回動する前記ターンテーブルに載置された前記レコード盤から音声信号をピックアップする、請求項１〜７のいずれか１項に記載のトーンアーム装置と、を備える
再生装置。
【発明の詳細な説明】
【技術分野】
【０００１】
本開示は、トーンアーム装置及びこれを備えた再生装置に関する。
【背景技術】
【０００２】
レコード盤（アナログディスク）を再生するための再生装置が知られている。再生装置には、レコード盤から音声信号をピックアップするためのトーンアーム装置が搭載されている（例えば、特許文献１参照）。トーンアーム装置は、アームベースと、アームベースに回動可能に支持されたアームと、アームを下降方向及び上昇方向に回動させるリフター機構とを備えている。リフター機構は、アームベースの外部に配置されたモータと、アームを下方から支持し且つ電動モータの駆動力により昇降する載置台とで構成されている。アームは、載置台の上昇動作に連動して上昇方向に回動し、載置台の下降動作に連動して下降方向に回動する。【０００３】
アームの先端部には、レコード針を有するカートリッジが着脱可能に取り付けられている。レコード盤を再生する際には、載置台を下降させてアームを下降方向に回動させることにより、アームの先端部がレコード盤に近付いて、レコード針がレコード盤の盤面に接触する。レコード盤の再生を終了する際には、載置台を上昇させてアームを上昇方向に回動させることにより、アームの先端部がレコード盤から離れる。
【先行技術文献】
【特許文献】
【０００４】
【特許文献１】実開昭５８−１１４５５７号公報
【発明の概要】
【発明が解決しようとする課題】
【０００５】
本開示は、リフター機構の小型化を図ることができるトーンアーム装置及びこれを備えた再生装置を提供する。
【課題を解決するための手段】
【０００６】
本開示におけるトーンアーム装置は、レコード盤を再生するための再生装置に用いられるトーンアーム装置であって、カートリッジが取り付けられる先端部を有し、先端部がレコード盤に近付く下降方向、及び、先端部がレコード盤から離れる上昇方向に回動可能に支持されたアームと、アームを下降方向及び上昇方向に回動させるリフター機構と、を備え、リフター機構は、アームを下方から支持し、第１の下限位置と第１の下限位置よりも上方の第１の上限位置との間を昇降する第１のリフターと、第１のリフターを下方から支持し、第２の下限位置と第２の下限位置よりも上方の第２の上限位置との間を昇降する第２のリフターと、第２のリフターを第２の下限位置から第２の上限位置に向けて付勢する第１の付勢部材と、第２のリフターを第２の下限位置にロックするロック位置と、第２のリフターの第２の下限位置へのロックを解除する解除位置との間を変位するロックレバーと、ロックレバーをロック位置から解除位置に向けて付勢する第２の付勢部材と、ロックレバーをロック位置に保持する保持部材と、第２のリフターを第２の上限位置から第２の下限位置に押し下げるためのキューイングレバーと、を有し、保持部材がロックレバーのロック位置への保持を解除した際には、ロックレバーが第２の付勢部材の付勢力によりロック位置から解除位置に変位することにより、第２のリフターが第１の付勢部材の付勢力により第２の下限位置から第２の上限位置に上昇し、且つ、第１のリフターが第２のリフターの上昇動作に連動して第１の下限位置から第１の上限位置に上昇し、アームが第１のリフターの上昇動作に連動して上昇方向に回動し、キューイングレバーが第２のリフターを第２の上限位置から第２の下限位置に押し下げた際には、第２のリフターがロックレバーに当接することにより、ロックレバーが解除位置からロック位置に変位し、第１のリフターが第１の上限位置から第１の下限位置に下降し、アームが第１のリフターの下降動作に連動して下降方向に回動する。
【発明の効果】
【０００７】
本開示におけるトーンアーム装置等によれば、リフター機構の小型化を図ることができる。
【図面の簡単な説明】
【０００８】
【図１】図１は、実施の形態に係る再生装置を示す斜視図である。
【図２】図２は、実施の形態に係るトーンアーム装置を示す斜視図である。
【図３】図３は、図２とは異なる角度（下方）から見た状態での、実施の形態に係るトーンアーム装置を示す斜視図である。
【図４】図４は、アームが下降方向に回動した状態での、実施の形態に係る再生装置の要部を示す側面図である。
【図５】図５は、アームが上昇方向に回動した状態での、実施の形態に係る再生装置の要部を示す側面図である。
【図６】図６は、載置台が上昇位置に位置している状態での、実施の形態に係るリフター機構を示す斜視図である。
【図７】図７は、図６とは異なる角度（上方）から見た状態での、実施の形態に係るリフター機構を示す斜視図である。
【図８】図８は、図６から第１の支持ベースを省略した状態での、実施の形態に係るリフター機構を示す斜視図である。
【図９】図９は、図６とは異なる角度（下方）から見た状態での、実施の形態に係るリフター機構を示す斜視図である。
【図１０】図１０は、図６とは異なる角度（下方）から見た状態での、実施の形態に係るリフター機構を示す要部拡大図である。
【図１１】図１１は、載置台が下降位置に位置している状態での、実施の形態に係るリフター機構を示す斜視図である。
【図１２】図１２は、図１１とは異なる角度（下方）から見た状態での、実施の形態に係るリフター機構を示す斜視図である。
【図１３】図１３は、図１１とは異なる角度（下方）から見た状態での、実施の形態に係るリフター機構を示す斜視図である。
【図１４】図１４は、実施の形態に係るリフター機構における載置台の上昇動作の流れを示すフローチャートである。
【図１５】図１５は、実施の形態に係るリフター機構における載置台の下降動作の流れを示すフローチャートである。
【図１６】図１６は、実施の形態に係る昇降機構を示す平面図である。
【図１７】図１７は、実施の形態に係る昇降機構の一部を抜き出して示す分解斜視図である。
【発明を実施するための形態】
【０００９】
（本開示の基礎となった知見）
本発明者らは、「背景技術」の欄において記載した技術に関し、以下の問題が生じることを見出した。
【００１０】
上述した従来のトーンアーム装置では、リフター機構の電動モータは、そのサイズが比較的大きいため、アームベースの内部に収納することができず、アームベースの外部に配置されている。しかしながら、このような構成では、トーンアーム装置が大型化してしまうという問題が生じる。
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者らは、当業者が本開示を十分に理解するために添付図面及び以下の説明を提供するのであって、これらによって請求の範囲に記載の主題を限定することを意図するものではない。
【００１３】
（実施の形態）
以下、図１〜図１７を参照しながら、実施の形態について説明する。なお、本明細書において、「上昇」とは、垂直方向における上方向（図１において上方向）への動作を意味し、「下降」とは、垂直方向における下方向（図１において下方向）への動作を意味し、「昇降」とは、垂直方向における上方向及び下方向への動作を意味するものとする。
【００１４】
［１．再生装置の全体構成］
まず、図１を参照しながら、実施の形態に係る再生装置２の全体構成について説明する。図１は、実施の形態に係る再生装置２を示す斜視図である。
【００１５】
図１に示すように、再生装置２は、レコード盤４を再生するための装置（いわゆる、レコードプレーヤ）である。再生装置２は、筐体６と、ターンテーブル８と、駆動源１０と、トーンアーム装置１２とを備えている。
【００１６】
筐体６は、平面視で略矩形状の箱形状を有している。ターンテーブル８は、レコード盤４を載置するための円板状のテーブルであり、筐体６の上面に回動可能に支持されている。駆動源１０は、ターンテーブル８を回動させるためのモータであり、筐体６の内部に配置されている。
【００１７】
トーンアーム装置１２は、回動するターンテーブル８に載置されたレコード盤４から音声信号をピックアップするための装置であり、筐体６の上面においてターンテーブル８に隣接して配置されている。本実施の形態の再生装置２では、トーンアーム装置１２の構成に特徴がある。以下、トーンアーム装置１２の構成について詳細に説明する。
【００１８】
［２．トーンアーム装置の構成］
［２−１．トーンアーム装置の全体構成］
次に、図２及び図３を参照しながら、実施の形態に係るトーンアーム装置１２の全体構成について説明する。図２は、実施の形態に係るトーンアーム装置１２を示す斜視図である。図３は、図２とは異なる角度（下方）から見た状態での、実施の形態に係るトーンアーム装置１２を示す斜視図である。
【００１９】
図２及び図３に示すように、トーンアーム装置１２は、アーム機構１４と、リフター機構１６と、昇降機構１８とを備えている。
【００２０】
アーム機構１４は、回動するターンテーブル８に載置されたレコード盤４から音声信号をピックアップするための機構である。
【００２１】
リフター機構１６は、アーム機構１４のアーム２４（後述する）を上昇方向及び下降方向に回動するための機構である。
【００２２】
昇降機構１８は、アーム機構１４のアーム２４をターンテーブル８上のレコード盤４に対して昇降させるための機構である。
【００２３】
以下、トーンアーム装置１２の上記各構成要素について詳細に説明する。
【００２４】
［２−２．アーム機構の構成］
図２及び図３を参照しながら、アーム機構１４の構成について説明する。図２及び図３に示すように、アーム機構１４は、アームベース２０と、回動機構２２と、アーム２４とを有している。
【００２５】
アームベース２０は、回動機構２２及びアーム２４等を支持するための部材であり、平面視で円形状に形成されている。アームベース２０は、第１の支持ベース２６と、第１の支持ベース２６の下端部に取り付けられた第２の支持ベース２８とを有している。第１の支持ベース２６の外周面には、操作リング３０が取り付けられている。また、第２の支持ベース２８の外周面には、例えばゴム材料等で形成されたリングラバー３２が取り付けられている。第２の支持ベース２８は、アームベースマウント１０２（図１参照）（後述する）に昇降可能に支持されている。ユーザは、操作リング３０を手指で掴むことにより、アームベース２０をアームベースマウント１０２に対して昇降させることができる。
【００２６】
回動機構２２は、アーム２４を水平方向及び垂直方向に回動可能に支持するための機構であり、第１の支持ベース２６の上面に配置されている。
【００２７】
アーム２４は、略Ｓ字状に屈曲しながら長尺状に延びている。アーム２４の先端部には、ヘッドシェル３４が支持されている。ヘッドシェル３４には、レコード針を有するカートリッジ３６が着脱可能に取り付けられている。また、アーム２４の基端部には、ヘッドシェル３４及びカートリッジ３６との重量バランスを取るためのバランスウェイト３８が支持されている。アーム２４は、回動機構２２を回動中心として、図２の矢印Ｈで示す水平方向に、レコード盤４（図１参照）の盤面に沿って回動可能である。また、アーム２４は、回動機構２２を回動中心として、図２の矢印Ｖで示す垂直方向、具体的には、矢印Ｖ１で示す上昇方向及び矢印Ｖ２で示す下降方向に回動可能である。
【００２８】
なお、レコード盤４を再生しない際には、ユーザは、アーム２４を第１の支持ベース２６の上面に配置されたフック状のアームレスト４０に支持させる。レコード盤４を再生する際には、ユーザは、アーム２４をアームレスト４０から取り外した後に、アーム２４を水平方向及び垂直方向に回動させながら、載置台４２（後述する）に載置させる。
【００２９】
［２−３．リフター機構］
［２−３−１．リフター機構の構成］
次に、図４〜図１３を参照しながら、リフター機構１６の構成について説明する。図４は、アーム２４が下降方向に回動した状態での、実施の形態に係る再生装置２の要部を示す側面図である。図５は、アーム２４が上昇方向に回動した状態での、実施の形態に係る再生装置２の要部を示す側面図である。
【００３０】
図６は、載置台４２が上昇位置に位置している状態での、実施の形態に係るリフター機構１６を示す斜視図である。図７は、図６とは異なる角度（上方）から見た状態での、実施の形態に係るリフター機構１６を示す斜視図である。図８は、図６から第１の支持ベース２６を省略した状態での、実施の形態に係るリフター機構１６を示す斜視図である。図９は、図６とは異なる角度（下方）から見た状態での、実施の形態に係るリフター機構１６を示す斜視図である。図１０は、図６とは異なる角度（下方）から見た状態での、実施の形態に係るリフター機構１６を示す要部拡大図である。
【００３１】
図１１は、載置台４２が下降位置に位置している状態での、実施の形態に係るリフター機構１６を示す斜視図である。図１２は、図１１とは異なる角度（下方）から見た状態での、実施の形態に係るリフター機構１６を示す斜視図である。図１３は、図１１とは異なる角度（下方）から見た状態での、実施の形態に係るリフター機構１６を示す斜視図である。
【００３２】
なお、説明の都合上、図６〜図１３では、回動機構２２、アーム２４、第２の支持ベース２８及び操作リング３０等の図示を省略してある。
【００３３】
図６〜図１０に示すように、リフター機構１６は、載置台４２と、第１のリフター４４と、ダンパー機構４６と、第２のリフター４８と、第１の付勢部材５０と、キューイングレバー５２と、ロックレバー５４と、第２の付勢部材５６と、保持部材５８と、検出部６０と、制御部６２とを備えている。
【００３４】
図６及び図１１に示すように、載置台４２は、アーム２４の所定部位（ヘッドシェル３４と回動機構２２との間の部位）を載置するためのものであり、円弧状に形成されている。載置台４２は、一対の支柱部６４，６６の各上端部に接続されている。一方の支柱部６４の下端部は、第１の支持ベース２６に昇降可能に支持されている。他方の支柱部６６の下端部は、第１のリフター４４の上面に固定されている。すなわち、載置台４２は、支柱部６６を介して第１のリフター４４と連結されている。これにより、載置台４２は、後述する第１のリフター４４の昇降動作に連動して、下降位置（図４及び図１１参照）と上昇位置（図５及び図６参照）との間を昇降する。具体的には、図４の矢印Ｐ２で示すように、載置台４２は、第１のリフター４４の下降動作に連動して、上昇位置から下降位置に下降する。また、図５の矢印Ｐ１で示すように、載置台４２は、第１のリフター４４の上昇動作に連動して、下降位置から上昇位置に上昇する。
【００３５】
レコード盤４を再生する際には、図４に示すように、載置台４２がアーム２４を載置した状態で上昇位置から下降位置に下降することにより、アーム２４が載置台４２の下降動作に連動して下降方向に回動し、ヘッドシェル３４がターンテーブル８上のレコード盤４に近付く。これにより、カートリッジ３６のレコード針がレコード盤４の溝をトレースする。
【００３６】
一方、レコード盤４の再生を終了する際には、図５に示すように、載置台４２が下降位置から上昇位置に上昇することにより、アーム２４が載置台４２の上昇動作に連動して上昇方向に回動し、ヘッドシェル３４がターンテーブル８上のレコード盤４から離れる。
【００３７】
図６〜図８に示すように、第１のリフター４４は、載置台４２を介して、アーム２４の上記所定部位を下方から支持するためのものであり、プレート状に形成されている。第１のリフター４４は、第１の支持ベース２６の上方に配置され、第１の支持ベース２６に対して昇降可能に支持されている。第１のリフター４４は、第１の下限位置（図１１参照）と、第１の下限位置よりも上方の第１の上限位置（図６参照）との間を昇降する。
【００３８】
また、第１のリフター４４は、支柱部６６を介して載置台４２と連結されている。これにより、第１のリフター４４が第１の上限位置から第１の下限位置に下降した際には、載置台４２は、第１のリフター４４の下降動作に連動して、上昇位置から下降位置に下降する。一方、第１のリフター４４が第１の下限位置から第１の上限位置に上昇した際には、載置台４２は、第１のリフター４４の上昇動作に連動して、下降位置から上昇位置に上昇する。また、図８に示すように、第１のリフター４４の下面には、第２のリフター４８に向けて下方に延びる連動棒６８が取り付けられている。
【００３９】
ダンパー機構４６は、第１のリフター４４が第１の上限位置から第１の下限位置に下降する際に、第１のリフター４４の下降動作に制動力（すなわち、第１のリフター４４の下降動作に逆らう力）を作用させるための機構である。図７及び図８に示すように、ダンパー機構４６は、ピニオン７０と、ラック７２と、コイルバネ７４とを有している。ピニオン７０は、第１の支持ベース２６に回動可能に支持されている。ラック７２は、第１のリフター４４から下方に延びており、ピニオン７０と噛み合わされている。コイルバネ７４は、アームベース２０の内部に配置され、第１のリフター４４を第１の上限位置から第１の下限位置に向けて付勢する。
【００４０】
後述するように、キューイングレバー５２が第２のリフター４８を第２の上限位置から第２の下限位置に押し下げた際には、第１のリフター４４は、ダンパー機構４６による制動力を受けながら、第２のリフター４８の下降速度よりも遅い下降速度で、第１の上限位置から第１の下限位置に下降する。これにより、アーム２４のカートリッジ３６のレコード針をレコード盤４に緩やかに近付けることができる。
【００４１】
図８に示すように、第２のリフター４８は、第１のリフター４４を下方から支持するためのものであり、プレート状に形成されている。第２のリフター４８は、第１の支持ベース２６の内部に配置され、第１の支持ベース２６に対して昇降可能に支持されている。第２のリフター４８は、第２の下限位置（図１２及び図１３参照）と、第２の下限位置よりも上方の第２の上限位置（図９及び図１０参照）との間を昇降する。また、第２のリフター４８の上面には、第１のリフター４４の連動棒６８の下端部が接触している。なお、第２のリフター４８と第１のリフター４４の連動棒６８の下端部とは分離可能である。
【００４２】
第２のリフター４８が第２の下限位置から第２の上限位置に上昇した際には、第１のリフター４４は、連動棒６８を介して第２のリフター４８によって押し上げられることにより、第２のリフター４８の上昇動作に連動して第１の下限位置から第１の上限位置に上昇する。一方、第２のリフター４８の下降速度が第１のリフター４４の下降速度よりも速い場合において、第２のリフター４８が第２の上限位置から第２の下限位置に下降した際には、第１のリフター４４は、ダンパー機構４６により第２のリフター４８の下降動作よりもやや遅れて下降し始め、第１の上限位置から第１の下限位置に下降する。この時、第２のリフター４８は、第１のリフター４４の連動棒６８の下端部から分離するようになる。
【００４３】
また、図８及び図１０に示すように、第２のリフター４８には、ロックレバー５４のカム片９２（後述する）に向けて延びる当接片７６が形成されている。さらに、図６及び図８に示すように、第２のリフター４８には、キューイングレバー５２の第２のカム部８６（後述する）に向けて延びる押下片７８が形成されている。なお、図６に示すように、押下片７８の上端部は、第１の支持ベース２６の上面から上方に突出している。
【００４４】
第１の付勢部材５０は、第２のリフター４８を第２の下限位置から第２の上限位置に向けて付勢するためのものであり、例えばコイルバネで構成されている。図８〜図１０に示すように、第１の付勢部材５０は、第１の支持ベース２６の内部に配置されている。
【００４５】
キューイングレバー５２は、第２のリフター４８を第２の上限位置から第２の下限位置に手動で押し下げるためのものである。図６及び図７に示すように、キューイングレバー５２は、第１の支持ベース２６の上面に回動可能に支持されている。キューイングレバー５２は、第２の回動軸部８０と、操作部８２と、第１のカム部８４と、第２のカム部８６とを有している。第２の回動軸部８０は、水平方向に配置されており、キューイングレバー５２を第１の操作方向（図６の矢印Ｓ１で示す方向）及び第１の操作方向とは反対方向である第２の操作方向（図１１の矢印Ｓ２で示す方向）に回動可能に支持する。操作部８２は、第２の回動軸部８０の一端部に設けられ、第２の回動軸部８０の軸方向（水平方向）に対して略垂直に延びている。第１のカム部８４は、第２の回動軸部８０の他端部に設けられ、第１のリフター４４の下面と係合可能に配置されている。第２のカム部８６は、第１のカム部８４よりも第２の回動軸部８０の一端部側に設けられ、第２のリフター４８の押下片７８の上端部と係合可能に配置されている。
【００４６】
後述するように保持部材５８がロックレバー５４のロック位置への保持を解除している状態で、ユーザが操作部８２を手指で把持してキューイングレバー５２を第１の操作方向に回動させた際には、第２のカム部８６は、第２のリフター４８の押下片７８の上端部を押し下げる。これにより、第２のリフター４８は、第２の上限位置から第２の下限位置に押し下げられる。
【００４７】
ロックレバー５４は、第２のリフター４８を第２の下限位置にロックするためのものである。図８〜図１０に示すように、ロックレバー５４は、第１の支持ベース２６の内部に回動（変位の一例）可能に配置されている。ロックレバー５４は、第１の回動軸部８８と、係合片９０と、カム片９２と、連結片９４とを有している。第１の回動軸部８８は、ロックレバー５４をロック位置（図１２及び図１３参照）と解除位置（図９及び図１０参照）との間で回動可能に支持する。係合片９０は、第１の回動軸部８８から延び、第２のリフター４８の上面と係合可能に配置されている。カム片９２は、第１の回動軸部８８から延び、第２のリフター４８の当接片７６と当接可能に配置されている。連結片９４は、保持部材５８の作動部９８（後述する）と連結されている。
【００４８】
図１２及び図１３に示すように、ロックレバー５４がロック位置に位置している状態では、係合片９０の先端部は、第２の下限位置に位置する第２のリフター４８の上面と係合する。これにより、第２のリフター４８は、第１の付勢部材５０の付勢力に抗して第２の下限位置にロックされる。この状態から、図９及び図１０に示すように、ロックレバー５４がロック位置から解除位置に回動した際には、係合片９０の先端部は、第２の下限位置に位置する第２のリフター４８の上面から離れる。これにより、第２のリフター４８は、第１の付勢部材５０の付勢力により第２の下限位置から第２の上限位置に上昇する。
【００４９】
第２の付勢部材５６は、ロックレバー５４をロック位置から解除位置に向けて付勢するためのものであり、例えばコイルバネで構成されている。図９及び図１０に示すように、第２の付勢部材５６は、第１の支持ベース２６の内部に配置されている。
【００５０】
保持部材５８は、ロックレバー５４をロック位置に保持するためのものであり、例えばラッチングソレノイドで構成されている。図９及び図１０に示すように、保持部材５８は、第１の支持ベース２６の内部に配置されている。保持部材５８は、本体部９６と、本体部９６の内部に進退可能に配置され且つロックレバー５４の連結片９４と連結された作動部９８とを有している。作動部９８は、本体部９６の内部に退避する退避位置（図１２及び図１３参照）と、本体部９６から突出する突出位置（図９及び図１０参照）との間を移動可能である。図１２及び図１３に示すように、作動部９８が磁力により退避位置に保持されている状態では、ロックレバー５４は、第２の付勢部材５６の付勢力に抗してロック位置に保持される。この状態から、保持部材５８が所定時間（例えば数ｍｓ）だけ通電された際には、磁力が低下（又は消失）することによって作動部９８を退避位置に保持する力が低下（又は消失）するため、ロックレバー５４のロック位置への保持が解除される。これに伴い、ロックレバー５４は、第２の付勢部材５６の付勢力によりロック位置から解除位置に回動し、作動部９８が退避位置から突出位置に移動する。
【００５１】
検出部６０は、アーム２４のヘッドシェル３４がレコード盤４の盤面上における演奏終了位置（所定の位置の一例）に位置することを検出するためのセンサであり、例えばフォトインタラプタで構成されている。図１０に示すように、検出部６０は、第１の支持ベース２６の内部に配置された基板１００上に実装されている。アーム２４のヘッドシェル３４がレコード盤４の盤面上における演奏終了位置に位置した際に、アーム２４から下方に延びる遮光片（図示せず）が検出部６０の検出光路を遮ることにより、検出部６０は検出信号を制御部６２に出力する。
【００５２】
制御部６２は、保持部材５８への通電を制御するためのものである。図１０に示すように、制御部６２は、第１の支持ベース２６の内部に配置された基板１００上に実装されている。制御部６２は、検出部６０からの検出信号に基づいて、保持部材５８に上記所定時間だけ通電することにより、保持部材５８によるロックレバー５４のロック位置への保持を解除させる。
【００５３】
［２−３−２．リフター機構の動作］
次に、図５、図６、図１０、図１１、図１３及び図１４を参照しながら、実施の形態に係るリフター機構１６における載置台４２の上昇動作について説明する。図１４は、実施の形態に係るリフター機構１６における載置台４２の上昇動作の流れを示すフローチャートである。
【００５４】
図１４に示すように、アーム２４のヘッドシェル３４がレコード盤４の盤面上における演奏終了位置に位置した際に、検出部６０は、検出信号を制御部６２に出力する（Ｓ１０１）。制御部６２は、検出部６０からの検出信号に基づいて、保持部材５８に上記所定時間だけ通電する。これにより、保持部材５８によるロックレバー５４のロック位置への保持が解除され（Ｓ１０２）、図１３の矢印Ｒ１で示すように、ロックレバー５４は、第２の付勢部材５６の付勢力により、ロック位置から解除位置に回動する（Ｓ１０３）。
【００５５】
図１０に示すように、ロックレバー５４が解除位置に位置した際に、第２のリフター４８は、第１の付勢部材５０の付勢力により、第２の下限位置から第２の上限位置に上昇する。また、図１１の矢印Ｑ１で示すように、第１のリフター４４は、第２のリフター４８の上昇動作に連動して、第１の下限位置から第１の上限位置に上昇する。これにより、図５及び図１１の矢印Ｐ１で示すように、載置台４２は、第１のリフター４４及び第２のリフター４８の上昇動作に連動して、下降位置から上昇位置に上昇する（Ｓ１０４）。この時、第１のリフター４４は、上昇時もダンパー機構４６による制動力を受けるため、第２のリフター４８及び載置台４２は、第１のリフター４４の上昇動作と連動して緩やかに上昇する。その結果、図６に示すように、第１のリフター４４が第１の上限位置に位置し、且つ、載置台４２が上昇位置に位置するようになる。この時、図示しないが、第２のリフター４８は、第２の上限位置に位置するようになる。図５の矢印Ｖ１で示すように、アーム２４は、載置台４２の上昇動作に連動して、上昇方向に回動する。なお、第２のリフター４８の押下片７８が第２のカム部８６を押し上げるのに伴って、図１１の矢印Ｓ２に示すように、キューイングレバー５２は第２の操作方向に回動する。
【００５６】
なお、本実施の形態では、載置台４２を演奏終了時に自動で上昇させる場合について説明したが、例えば次のようにして、載置台４２をユーザにより手動で上昇させることも可能である。保持部材５８がロックレバー５４をロック位置に保持している状態で、ユーザがキューイングレバー５２を第２の操作方向に手動で回動させることにより、第１のカム部８４が第１のリフター４４を第１の下限位置から第１の上限位置に押し上げる。これにより、載置台４２は、第１のリフター４４の上昇動作に連動して、下降位置から上昇位置に上昇する。その後、保持部材５８がロックレバー５４をロック位置に保持している状態で、ユーザがキューイングレバー５２を第１の操作方向に手動で回動させることにより、第１のカム部８４が第１のリフター４４の下面から離れる。これにより、第１のリフター４４が第１の上限位置から第１の下限位置に下降し、載置台４２は、第１のリフター４４の下降動作に連動して上昇位置から下降位置に下降する。このように、第２のリフター４８がロックレバー５４により第２の下限位置にロックされた状態で、ユーザがキューイングレバー５２を操作することにより、載置台４２を昇降させることができる。
【００５７】
次に、図４、図６、図１０、図１１、図１３及び図１５を参照しながら、実施の形態に係るリフター機構１６における載置台４２の下降動作について説明する。図１５は、実施の形態に係るリフター機構１６における載置台４２の下降動作の流れを示すフローチャートである。
【００５８】
図１５に示すように、例えばレコード盤４の再生を開始する際に、ユーザは、図６の矢印Ｓ１で示すように、キューイングレバー５２を第１の操作方向に回動させる（Ｓ２０１）。これにより、キューイングレバー５２の第２のカム部８６が第２のリフター４８の押下片７８を押し下げるため、第２のリフター４８は、第１の付勢部材５０の付勢力に抗して、第２の上限位置から第２の下限位置に下降する（Ｓ２０２）。また、図６の矢印Ｑ２で示すように、第１のリフター４４は、ダンパー機構４６により第２のリフター４８の下降動作よりもやや遅れて、第１の上限位置から第１の下限位置に下降する。図４及び図６の矢印Ｐ２で示すように、載置台４２は、第１のリフター４４の下降動作に連動して、上昇位置から下降位置に下降する（Ｓ２０３）。その結果、図１１に示すように、第１のリフター４４が第１の下限位置に位置し、且つ、載置台４２が下降位置に位置するようになる。この時、図示しないが、第２のリフター４８は、第２の下限位置に位置するようになる。図４の矢印Ｖ２で示すように、アーム２４は、載置台４２の下降動作に連動して、下降方向に回動する。
【００５９】
第２のリフター４８が第２の上限位置から第２の下限位置に下降するのに伴い、第２のリフター４８の当接片７６がロックレバー５４のカム片９２に当接することにより、図１０の矢印Ｒ２で示すように、ロックレバー５４は、解除位置からロック位置に回動する（Ｓ２０３）。この時、保持部材５８の作動部９８が突出位置から退避位置に移動して、磁力により退避位置に保持されることにより、図１３に示すように、保持部材５８は、ロックレバー５４をロック位置に保持する。これにより、第２のリフター４８は、ロックレバー５４により第２の下限位置でロックされる。
【００６０】
［２−４．昇降機構の構成及び動作］
次に、図１、図３、図７、図９、図１６及び図１７を参照しながら、実施の形態に係る昇降機構１８の構成について説明する。図１６は、実施の形態に係る昇降機構１８を示す平面図である。図１７は、実施の形態に係る昇降機構１８の一部を抜き出して示す分解斜視図である。
【００６１】
図１、図３、図７及び図９に示すように、昇降機構１８は、アームベースマウント１０２（図１参照）と、一対のロックサポート１０４ａ，１０４ｂ（接触部材の一例）と、ロックプレート１０６と、ロックシャフト１０８（操作部材の一例）とを有している。
【００６２】
図１に示すように、アームベースマウント１０２は、筐体６の内部に配置されている。アームベースマウント１０２は、有底筒状に形成されており、アームベース２０を昇降可能に支持するためのものである。アームベースマウント１０２は、アームベース２０の第２の支持ベース２８の外周面及び底面を覆うように配置されている。アームベースマウント１０２の底面における中央部には、アームベース２０のセンターシャフト１３４を挿通するための円筒状の支持筒部（図示せず）が形成されている。なお、図３に示すように、センターシャフト１３４は、円筒状に形成され、第２の支持ベース２８の底面から下方に延びている。アームベースマウント１０２の支持筒部の内部には、アームベース２０をアームベースマウント１０２に対して上昇させる方向に付勢するための第３の付勢部材１３６が配置されている。第３の付勢部材１３６は、例えばコイルバネで構成されている。
【００６３】
図３、図７、図８、図９及び図１６に示すように、一対のロックサポート１０４ａ，１０４ｂは、アームベースマウント１０２に移動可能に取り付けられており、リングラバー３２に接触することによりアームベース２０のアームベースマウント１０２に対する昇降をロックするための部材である。なお、一対のロックサポート１０４ａ，１０４ｂは、例えば樹脂で形成されている。
【００６４】
図１７に示すように、ロックサポート１０４ａは、サポート本体部１１０ａと、取付片１１２ａとを有している。サポート本体部１１０ａは、プレート状に形成され、第２の支持ベース２８の外周面の周方向に沿って湾曲している。サポート本体部１１０ａの一側辺には、傾斜面１１４ａが形成されている。取付片１１２ａは、サポート本体部１１０ａの凹面側から延びている。取付片１１２ａには、長孔１１６ａが形成されている。
【００６５】
図１７に示すように、ロックサポート１０４ｂは、上述したロックサポート１０４ａと左右対称に形成されている。すなわち、ロックサポート１０４ｂは、サポート本体部１１０ｂと、取付片１１２ｂとを有している。サポート本体部１１０ｂは、プレート状に形成され、第２の支持ベース２８の外周面の周方向に沿って湾曲している。サポート本体部１１０ｂの一側辺には、傾斜面１１４ｂが形成されている。取付片１１２ｂは、サポート本体部１１０ｂの凹面側から延びている。取付片１１２ｂには、長孔１１６ｂが形成されている。
【００６６】
図示しないが、一対のロックサポート１０４ａ，１０４ｂは、アームベースマウント１０２の側壁部（図示せず）に配置され、各々の取付片１１２ａ，１１２ｂが対向するように互いに隣接している。図３に示すように、一対のロックサポート１０４ａ，１０４ｂの各々のサポート本体部１１０ａ，１１０ｂの凹面側は、リングラバー３２に対向するように配置されている。
【００６７】
また、取付片１１２ａ，１１２ｂの各長孔１１６ａ，１１６ｂには、アームベースマウント１０２の底面に形成された突起（図示せず）が移動可能に挿通されている。これにより、一対のロックサポート１０４ａ，１０４ｂは、サポート本体部１１０ａ，１１０ｂがリングラバー３２（すなわち、アームベース２０）から離れる非接触位置と、サポート本体部１１０ａ，１１０ｂがリングラバー３２（すなわち、アームベース２０）に接触する接触位置との間を移動可能である。
【００６８】
ロックプレート１０６は、一対のロックサポート１０４ａ，１０４ｂの各々を非接触位置から接触位置に向けて押し込むための部材である。なお、ロックプレート１０６は、例えば鉄等の金属で形成されている。図１７に示すように、ロックプレート１０６は、水平部１１８と、垂直部１２０と、押込部１２２と、取付部１２４とを有している。
【００６９】
図９及び図１７に示すように、水平部１１８には、アームベースマウント１０２の突起（図示せず）が移動可能に挿通される長孔１２３と、ロックシャフト１０８の偏心軸１３２（後述する）が回動可能に挿通される孔１２５とが形成されている。図１７に示すように、垂直部１２０は、水平部１１８の一端部から、水平部１１８に対して略垂直に延びている。押込部１２２は、垂直部１２０の一端部に形成され、垂直部１２０に対して略垂直に延びている。押込部１２２の両端部にはそれぞれ、一対の傾斜部１２６ａ，１２６ｂが形成されている。取付部１２４は、押込部１２２の中央部から、水平部１１８に対して略平行に延びている。取付部１２４には、ネジ１２８を挿通するための長孔１２７が形成されている。
【００７０】
ネジ１２８が取付部１２４の長孔１２７を通してアームベースマウント１０２に形成されたネジ孔（図示せず）に捻じ込まれることにより、ロックプレート１０６がアームベースマウント１０２に取り付けられている。このとき、ネジ１２８と長孔１２７との間には遊びが存在するため、ロックプレート１０６は、アームベースマウント１０２の径方向に沿って往復移動可能である。水平部１１８の長孔１２３には、アームベースマウント１０２の突起（図示せず）が移動可能に挿通されている。また、押込部１２２の一対の傾斜部１２６ａ，１２６ｂはそれぞれ、一対のロックサポート１０４ａ，１０４ｂの各々のサポート本体部１１０ａ，１１０ｂの傾斜面１１４ａ，１１４ｂに接触している。
【００７１】
ロックシャフト１０８は、一対のロックサポート１０４ａ，１０４ｂの各々を非接触位置と接触位置との間で移動させるための部材である。図７に示すように、ロックシャフト１０８は、長尺状に形成され、アームベース２０を貫通するように垂直方向に配置されている。ロックシャフト１０８は、その垂直方向に延びる中心軸線を中心に、アームベース２０に対して回動可能である。
【００７２】
図７に示すように、ロックシャフト１０８の上端部には、ロックノブ１３０が形成されている。ロックノブ１３０は、アームベース２０の上面から上方に突出している。ユーザは、ロックノブ１３０を手指で摘むことにより、ロックシャフト１０８をアームベース２０に対して回動させることができる。図３、図８及び図９に示すように、ロックシャフト１０８の下端部には、ロックシャフト１０８の中心軸線に対して偏心した偏心軸１３２が形成されている。図９に示すように、偏心軸１３２は、ロックプレート１０６の水平部１１８の孔１２５に回動可能に挿通されている。
【００７３】
また、図１６に示すように、アームベース２０の第２の支持ベース２８の底面には、複数のブロック１３８と、複数のブロック１３８をそれぞれアームベースマウント１０２の支持筒部（図示せず）の外周面に向けて付勢するための複数のコイルバネ１４０とが配置されている。複数のブロック１３８はそれぞれ、複数のコイルバネ１４０の付勢力により、アームベースマウント１０２の支持筒部の外周面に押し当てられている。
【００７４】
以下、上述した昇降機構１８の動作について説明する。ユーザは、アーム２４をレコード盤４に対して昇降させたい際には、ロックノブ１３０を手指で摘んで、ロックシャフト１０８をアームベース２０に対して所定方向に回動させる。これにより、偏心軸１３２は、ロックシャフト１０８の中心軸線を中心に、図１６の矢印Ｒ３で示す方向に回動する。この時、偏心軸１３２がロックプレート１０６の水平部１１８の孔１２５の周縁部を押圧することにより、ロックプレート１０６は、一対のロックサポート１０４ａ，１０４ｂから離れる方向に移動する。これにより、一対のロックサポート１０４ａ，１０４ｂの各々が接触位置から非接触位置に移動するので、ユーザは、操作リング３０を手指で掴んで、アームベース２０をアームベースマウント１０２に対して昇降させることができる。このようにアームベース２０を昇降させることにより、アーム２４をレコード盤４に対して昇降させることができる。
【００７５】
上述したように、アーム２４をレコード盤４に対して昇降させることにより、アーム２４のレコード盤４からの高さ位置を調節することができる。これにより、レコード針がレコード盤４の溝をトレースする際に、アーム２４の姿勢を略水平に保つことができ、レコード盤４から音声信号を精度良くピックアップすることができる。
【００７６】
なお、上述したように、アームベース２０が第３の付勢部材１３６によりアームベースマウント１０２に対して上昇する方向に付勢され、且つ、複数のブロック１３８がアームベースマウント１０２の支持筒部の外周面に押し当てられているので、ユーザが操作リング３０から手指を離した際に、アームベース２０がアームベースマウント１０２に対して勝手に下降してしまうことがない。
【００７７】
一方、ユーザは、アーム２４のレコード盤４からの高さ位置を調節した後に、アームベース２０のアームベースマウント１０２に対する昇降をロックさせたい際には、ロックノブ１３０を手指で摘んで、ロックシャフト１０８をアームベース２０に対して上記所定方向と反対方向に回動させる。これにより、偏心軸１３２は、ロックシャフト１０８の中心軸線を中心に、図１６の矢印Ｒ４で示す方向に回動する。このとき、偏心軸１３２がロックプレート１０６の水平部１１８の孔１２５の周縁部を押圧することにより、ロックプレート１０６は、一対のロックサポート１０４ａ，１０４ｂに近付く方向に移動する。これにより、押込部１２２の一対の傾斜部１２６ａ，１２６ｂはそれぞれ、一対のロックサポート１０４ａ，１０４ｂの各々のサポート本体部１１０ａ，１１０ｂの傾斜面１１４ａ，１１４ｂを押し込むことにより、一対のロックサポート１０４ａ，１０４ｂの各々は非接触位置から接触位置に移動する。
【００７８】
一対のロックサポート１０４ａ，１０４ｂの各々が接触位置に位置している状態では、一対のロックサポート１０４ａ，１０４ｂの各々のサポート本体部１１０ａ，１１０ｂがリングラバー３２に接触している。これにより、サポート本体部１１０ａ，１１０ｂとリングラバー３２との間に生じる摩擦力によって、アームベース２０のアームベースマウント１０２に対する昇降がロックされる。
【００７９】
［３．効果］
上述したように、本実施の形態において、トーンアーム装置１２は、レコード盤４を再生するための再生装置２に用いられるトーンアーム装置である。トーンアーム装置１２は、カートリッジ３６が取り付けられる先端部を有し、先端部がレコード盤４に近付く下降方向、及び、先端部がレコード盤４から離れる上昇方向に回動可能に支持されたアーム２４と、アーム２４を下降方向及び上昇方向に回動させるリフター機構１６とを備える。リフター機構１６は、アーム２４を下方から支持し、第１の下限位置と第１の下限位置よりも上方の第１の上限位置との間を昇降する第１のリフター４４と、第１のリフター４４を下方から支持し、第２の下限位置と第２の下限位置よりも上方の第２の上限位置との間を昇降する第２のリフター４８と、第２のリフター４８を第２の下限位置から第２の上限位置に向けて付勢する第１の付勢部材５０と、第２のリフター４８を第２の下限位置にロックするロック位置と、第２のリフター４８の第２の下限位置へのロックを解除する解除位置との間を変位するロックレバー５４と、ロックレバー５４をロック位置から解除位置に向けて付勢する第２の付勢部材５６と、ロックレバー５４をロック位置に保持する保持部材５８と、第２のリフター４８を第２の上限位置から第２の下限位置に押し下げるためのキューイングレバー５２とを有する。保持部材５８がロックレバー５４のロック位置への保持を解除した際には、ロックレバー５４が第２の付勢部材５６の付勢力によりロック位置から解除位置に回動（変位）することにより、第２のリフター４８が第１の付勢部材５０の付勢力により第２の下限位置から第２の上限位置に上昇し、且つ、第１のリフター４４が第２のリフター４８の上昇動作に連動して第１の下限位置から第１の上限位置に上昇し、アーム２４が第１のリフター４４の上昇動作に連動して上昇方向に回動する。また、キューイングレバー５２が第２のリフター４８を第２の上限位置から第２の下限位置に押し下げた際には、第２のリフター４８がロックレバー５４に当接することにより、ロックレバー５４が解除位置からロック位置に回動（変位）し、第１のリフター４４が第１の上限位置から第１の下限位置に下降し、アーム２４が第１のリフター４４の下降動作に連動して下降方向に回動する。
【００８０】
これにより、第２のリフター４８が第１の付勢部材５０の付勢力により上昇するのに連動して、第１のリフター４４が上昇するので、背景技術の欄で説明したモータを用いたリフター機構と比べて、リフター機構１６の構造を簡素化することができる。その結果、リフター機構１６の小型化を図ることができる。
【００８１】
また、本実施の形態において、アーム２４は、さらに、レコード盤４の盤面に沿って略水平方向に回動可能に支持されている。リフター機構１６は、さらに、アーム２４の先端部がレコード盤４の盤面上における所定の位置に位置することを検出する検出部６０と、保持部材５８の動作を制御する制御部６２であって、検出部６０からの検出信号に基づいて、保持部材５８によるロックレバー５４のロック位置への保持を解除させる制御部６２とを有する。
【００８２】
これにより、アーム２４の先端部がレコード盤４の盤面上における所定の位置に位置した際に、保持部材５８によるロックレバー５４のロック位置への保持を自動的に解除させることができる。
【００８３】
また、本実施の形態において、保持部材５８はラッチングソレノイドで構成されている。制御部６２は、保持部材５８に通電することにより、保持部材５８によるロックレバー５４のロック位置への保持を解除させる。
【００８４】
これにより、制御部６２による保持部材５８の制御を容易に行うことができる。
【００８５】
また、本実施の形態において、ロックレバー５４は、ロックレバー５４をロック位置と解除位置との間で回動可能に支持する第１の回動軸部８８と、第１の回動軸部８８から延び、第２のリフター４８と係合可能に配置された係合片９０と、第１の回動軸部８８から延び、第２のリフター４８と当接可能に配置されたカム片９２とを有する。保持部材５８がロックレバー５４をロック位置に保持している際には、係合片９０は、第２の下限位置に位置する第２のリフター４８と係合する。保持部材５８がロックレバー５４のロック位置への保持を解除した際には、ロックレバー５４がロック位置から解除位置に回動することにより、係合片９０が第２のリフター４８から離れる。キューイングレバー５２が第２のリフター４８を第２の上限位置から第２の下限位置に押し下げた際には、第２のリフター４８がロックレバー５４のカム片９２に当接することにより、ロックレバー５４が解除位置からロック位置に回動して、係合片９０が第２のリフター４８と係合する。
【００８６】
これにより、ロックレバー５４の係合片９０が第２の下限位置に位置する第２のリフター４８と係合するので、比較的簡単な構成で、第２のリフター４８を第２の下限位置にロックすることができる。また、第２のリフター４８がロックレバー５４のカム片９２に当接するので、ロックレバー５４の回動を第２のリフター４８の下降動作と連動させることができる。
【００８７】
また、本実施の形態において、リフター機構１６は、さらに、第１のリフター４４が第１の上限位置から第１の下限位置に下降する際に、第１のリフター４４の下降動作に制動力を作用させるためのダンパー機構４６を有する。キューイングレバー５２が第２のリフター４８を第２の上限位置から第２の下限位置に押し下げた際には、第１のリフター４４は、ダンパー機構４６により第２のリフター４８の下降速度よりも遅い下降速度で、第１の上限位置から第１の下限位置に下降する。
【００８８】
これにより、第１のリフター４４は、ダンパー機構４６による制動力を受けながら、第１の上限位置から第１の下限位置に下降するので、アーム２４の先端部をレコード盤４に緩やかに近付けることができる。その結果、レコード盤４の再生をスムーズに開始することができる。
【００８９】
また、本実施の形態において、キューイングレバー５２は、キューイングレバー５２を第１の操作方向及び第１の操作方向とは反対方向である第２の操作方向に回動可能に支持する第２の回動軸部８０と、第２の回動軸部８０に設けられ、第１のリフター４４と係合する第１のカム部８４と、第２の回動軸部８０に設けられ、第２のリフター４８と係合する第２のカム部８６とを有する。保持部材５８がロックレバー５４のロック位置への保持を解除している状態で、キューイングレバー５２が第１の操作方向に回動した際には、第２のカム部８６が第２のリフター４８を第２の上限位置から第２の下限位置に押し下げる。保持部材５８がロックレバー５４をロック位置に保持している状態で、キューイングレバー５２が第２の操作方向に回動した際には、第１のカム部８４が第１のリフター４４を第１の下限位置から第１の上限位置に押し上げる。
【００９０】
これにより、ユーザがキューイングレバー５２を第２の操作方向に回動することにより、第１のリフター４４を第１の下限位置から第１の上限位置に手動で押し上げることができる。
【００９１】
また、本実施の形態において、トーンアーム装置１２は、さらに、アーム２４をレコード盤４に対して昇降させるための昇降機構１８を備える。昇降機構１８は、アーム２４を下降方向及び上昇方向に回動可能に支持するアームベース２０と、アームベース２０を昇降可能に支持するアームベースマウント１０２と、アームベース２０をアームベースマウント１０２に対して上昇させる方向に付勢する第３の付勢部材１３６と、アームベース２０に接触する接触位置と、アームベース２０から離れる非接触位置との間を移動可能なロックサポート１０４ａ，１０４ｂと、ロックサポート１０４ａ，１０４ｂを接触位置と非接触位置との間で移動させるためのロックシャフト１０８とを有する。
【００９２】
これにより、比較的簡単な構成で、アーム２４をレコード盤４に対して昇降させることができる。
【００９３】
また、本実施の形態において、再生装置２は、レコード盤４を再生するための再生装置である。再生装置２は、レコード盤４を載置するためのターンテーブル８と、ターンテーブル８を回動させる駆動源１０と、回動するターンテーブル８に載置されたレコード盤４から音声信号をピックアップする、上述したトーンアーム装置１２とを備える。
【００９４】
これにより、リフター機構１６の小型化を図ることができる。
【００９５】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００９６】
そこで、以下、他の実施の形態を例示する。
【００９７】
上記実施の形態では、ロックレバー５４がロック位置と解除位置との間を回動するように構成したが、これに限定されず、例えばロック位置と解除位置との間を直線的に移動（変位の一例）するように構成してもよい。
【００９８】
以上のように、本開示における技術の例示として、実施の形態を説明した。そのために、添付図面及び詳細な説明を提供した。
【００９９】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１００】
また、上述の実施の形態は、本開示における技術を例示するためのものであるから、請求の範囲又はその均等の範囲において種々の変更、置き換え、付加、省略などを行うことができる。
【産業上の利用可能性】
【０１０１】
本開示は、レコード盤を再生するための再生装置に用いられるトーンアーム装置に適用可能である。
【符号の説明】
【０１０２】
２  再生装置
４  レコード盤
６  筐体
８  ターンテーブル
１０  駆動源
１２  トーンアーム装置
１４  アーム機構
１６  リフター機構
１８  昇降機構
２０  アームベース
２２  回動機構
２４  アーム
２６  第１の支持ベース
２８  第２の支持ベース
３０  操作リング
３２  リングラバー
３４  ヘッドシェル
３６  カートリッジ
３８  バランスウェイト
４０  アームレスト
４２  載置台
４４  第１のリフター
４６  ダンパー機構
４８  第２のリフター
５０  第１の付勢部材
５２  キューイングレバー
５４  ロックレバー
５６  第２の付勢部材
５８  保持部材
６０  検出部
６２  制御部
６４，６６  支柱部
６８  連動棒
７０  ピニオン
７２  ラック
７４，１４０  コイルバネ
７６  当接片
７８  押下片
８０  第２の回動軸部
８２  操作部
８４  第１のカム部
８６  第２のカム部
８８  第１の回動軸部
９０  係合片
９２  カム片
９４  連結片
９６  本体部
９８  作動部
１００  基板
１０２  アームベースマウント
１０４ａ，１０４ｂ  ロックサポート（接触部材）
１０６  ロックプレート
１０８  ロックシャフト（操作部材）
１１０ａ，１１０ｂ  サポート本体部
１１２ａ，１１２ｂ  取付片
１１４ａ，１１４ｂ  傾斜面
１１６ａ，１１６ｂ，１２３，１２７  長孔
１１８  水平部
１２０  垂直部
１２２  押込部
１２４  取付部
１２５  孔
１２６ａ，１２６ｂ  傾斜部
１２８  ネジ
１３０  ロックノブ
１３２  偏心軸
１３４  センターシャフト
１３６  第３の付勢部材
１３８  ブロック
【図１】
2020137030.tif 000003
【図２】
2020137030.tif 000004
【図３】
2020137030.tif 000005
【図４】
2020137030.tif 000006
【図５】
2020137030.tif 000007
【図６】
2020137030.tif 000008
【図７】
2020137030.tif 000009
【図８】
2020137030.tif 000010
【図９】
2020137030.tif 000011
【図１０】
2020137030.tif 000012
【図１１】
2020137030.tif 000013
【図１２】
2020137030.tif 000014
【図１３】
2020137030.tif 000015
【図１４】
2020137030.tif 000016
【図１５】
2020137030.tif 000017
【図１６】
2020137030.tif 000018
【図１７】
2020137030.tif 000019
【国際調査報告】
2020137030.tif 000020
2020137030.tif 000021
2020137030.tif 000022
2020137030.tif 000023